(57)【要約】【課題】エアコン用コンデンサの防塵部材の取付構造において、メンテナンスを効率的に行うことができるとともに、容易に製造することができる簡素な構成を提供する。【解決手段】コンデンサ用防塵ネット４１の取付構造は、コンデンサフレーム４０の下部に配置され、上方が開放された形状のレール４３を備える。また、コンデンサ用防塵ネット４１の取付構造は、レール４３の上方に配置され、コンデンサ用防塵ネット４１をコンデンサフレーム４０に対してワンタッチで機械的に固定させることができるカムロック４２を備える。カムロック４２は、コンデンサ用防塵ネット４１の取付時には、コンデンサ用防塵ネット４１を、取付板５３を介してコンデンサフレーム４０側に押し付ける。【選択図】図６
2010173572.tif 000002
【特許請求の範囲】
【請求項１】
エアコン用のコンデンサを支持するコンデンサ支持部に防塵部材を取り付けるための防塵部材の取付構造において、
前記コンデンサ支持部の下部に配置され、上方が開放された形状の防塵部材支持部と、
前記防塵部材支持部の上方に配置され、前記防塵部材を前記コンデンサ支持部に対してワンタッチで機械的に固定させることができる固定手段と、
を備えることを特徴とする防塵部材の取付構造。
【請求項２】
請求項１に記載の防塵部材の取付構造であって、
前記固定手段は、前記防塵部材の取付時には、当該防塵部材を前記コンデンサ支持部側に押し付けることを特徴とする防塵部材の取付構造。
【請求項３】
請求項１又は２に記載の防塵部材の取付構造であって、
前記防塵部材は、
前記防塵部材の端部を覆う防塵部材フレームと、
当該防塵部材を前記固定手段で固定するための取付部と、
を有し、
前記取付部は、前記防塵部材フレームの前記コンデンサ支持部に対面する側と反対側に配置されることを特徴とする防塵部材の取付構造。
【請求項４】
請求項１から３までの何れか一項に記載の防塵部材の取付構造であって、
前記固定手段は、前記コンデンサ支持部の左側に少なくとも１つ、右側に少なくとも１つ、それぞれ配置されており、
前記固定手段は左右で高さが異なるように配置されており、
前記防塵部材は、当該防塵部材を前記固定手段で固定するための取付部を有し、この取付部が、高さが異なるように配置された前記固定手段の配置場所に対応するように配置されていることを特徴とする防塵部材の取付構造。
【請求項５】
請求項１から４までの何れか一項に記載の防塵部材の取付構造を備えることを特徴とする作業機。
【発明の詳細な説明】
【技術分野】
【０００１】
本発明は、エアコン用のコンデンサに取り付けられる防塵部材の取付構造に関するものである。
【背景技術】
【０００２】
トラクタ等の作業機において、エンジン近傍に配置されるラジエータやエアコン用コンデンサ等に防塵部材を取り付ける構成が従来から知られている。この種の防塵部材を開示したものに、特許文献１及び特許文献２がある。
【０００３】
特許文献１では、ラジエータの防塵部材の取付構造において、以下のような構成が開示されている。即ち、ラジエータを支持するラジエータ支持部材の左右両側にスクリーンガイドが配置され、防塵部材としてのスクリーンが前記スクリーンガイドによって支持されるように構成されている。このスクリーンの取付作業は、当該スクリーンをスクリーンガイドに上方より差し入れることで行われる。特許文献１では、コンデンサの防塵部材の取付構造においても、上述したラジエータの防塵部材の取付構造と略同一に構成されたものが用いられている。
【０００４】
特許文献２では、エンジンの冷却水を冷却するラジエータの前面に防塵網を備える作業車両のラジエータ防塵装置において、以下のような構成が開示されている。即ち、特許文献２に開示されるラジエータ防塵装置は、前記防塵網を上下方向に挿脱可能に案内するガイド体を設けるとともに、当該ガイド体を機体前方に向けて傾倒可能に構成されている。特許文献２は、この構成により、防塵部材を支持するガイド体を機体前方に傾倒することで、エンジンの上方を覆う開放状態のボンネットに対して防塵網の上部を離間させることができ、防塵部材の挿脱作業がスムーズに行えるようになるとしている。
【先行技術文献】
【特許文献】
【０００５】
【特許文献１】特開２００８−１９５１７５号公報
【特許文献２】特開２００７−１４６７５３号公報
【発明の概要】
【発明が解決しようとする課題】
【０００６】
特許文献１に開示される防塵部材の取付構造は、防塵部材を上下方向に挿脱可能に案内するガイドによって、当該防塵部材が支持されるように構成されている。この左右のガイドは、前後方向で防塵部材を挟み込む一対の壁部を有しているため、当該壁部の分だけ、防塵部材と防塵すべき対象物（ラジエータ及びコンデンサ等）との間に前後方向の隙間が形成される。防塵部材と対象物との間に隙間が形成されると、そこから藁屑や塵埃等のダストが侵入してしまうおそれがあり、対象物の防塵を効果的に行うことができない場合があった。また、前記ガイドの壁部と防塵部材との間には、防塵部材の挿脱をスムーズに行うことができるように若干の隙間を形成する必要がある。従って、ガイドと防塵部材の隙間からダストが侵入してしまったり、作業機の走行時の振動によって防塵部材のバタツキが騒音の原因になったりするおそれがあった。
【０００７】
一方、特許文献２の構成は、ガイド体を傾動させるための構造を備える必要があり、防塵部材の取付構造が複雑化してしまい、製造コストの効果的な低減が困難であった。また、マグネットの磁気的な吸着によってガイド体が取付位置に固定される構成であるため、走行時の振動によってガイド体の固定が外れてしまうおそれがあった。走行時にガイド体の固定が解除されれば、防塵を行うことができなくなるばかりではなく、周辺の装置と衝突して他の装置の損傷を引き起こすおそれもあった。
【０００８】
また、作業機において、エアコン用のコンデンサがラジエータの前面側に配置されるような構成をとることがある。このような構成の場合、前面側に配置されるコンデンサの防塵部材にダストがたまり易くなるので、コンデンサの防塵部材のメンテナンスを頻繁に行う必要がある。従って、コンデンサに用いられる防塵部材のメンテナンス性の向上は特に望まれるところであった。
【０００９】
本発明は以上の事情に鑑みてなされたものであり、その目的は、エアコン用コンデンサの防塵部材の取付構造において、メンテナンスを効率的に行うことができるとともに、容易に製造することができる簡素な構成を提供することにある。
【課題を解決するための手段及び効果】
【００１０】
本発明の解決しようとする課題は以上の如くであり、次にこの課題を解決するための手段とその効果を説明する。
【００１１】
本発明の第１の観点によれば、エアコン用のコンデンサを支持するコンデンサ支持部に防塵部材を取り付けるための取付構造において、以下の構成が提供される。即ち、防塵部材の取付構造は、前記コンデンサ支持部の下部に配置され、上方が開放された形状の防塵部材支持部を備える。また、防塵部材の取付構造は、前記防塵部材支持部の上方に配置され、前記防塵部材を前記コンデンサ支持部に対してワンタッチで機械的に固定させることができる固定手段を備える。
【００１２】
これにより、コンデンサに用いられる防塵部材の取付けをワンタッチで行うことができ、取付作業の効率を向上させることができる。また、固定手段の固定を解除し、防塵部材支持部を支点とするように防塵部材を傾動させて上方に引き抜くことで、防塵部材をコンデンサ支持部から容易に取り外すことができる。従って、コンデンサの周囲に大きなスペースを確保できない場合であっても、メンテナンス作業を効率的に行うことができる。更に、防塵部材を防塵部材支持部で支持させるとともに、この防塵部材支持部より上方に配置される固定手段によって固定するという簡素な構成なので、作業性の向上及び製造コストの低減を達成できる。
【００１３】
前記の防塵部材の取付構造においては、前記固定手段は、前記防塵部材の取付時には、前記防塵部材を前記コンデンサ支持部側に押し付けることが好ましい。
【００１４】
これにより、防塵部材をコンデンサ支持部へ取り付けた状態において、当該防塵部材がコンデンサ支持部側に押し付けられるので、両者の間に形成される隙間を小さくすることができる。従って、防塵部材とコンデンサ支持部との隙間にゴミ等がたまったり、防塵部材のバタツキによって騒音が発生したりすることを防止できる。
【００１５】
前記の防塵部材の取付構造においては、以下のように構成されることが好ましい。即ち、前記防塵部材は、当該防塵部材の端部を覆う防塵部材フレームと、前記防塵部材を前記固定手段で固定するための取付部と、を有する。前記取付部は、前記防塵部材フレームの前記コンデンサ支持部に対面する側と反対側に配置される。
【００１６】
これにより、防塵部材フレームがコンデンサ支持部に直接対面するように取り付けられるので、防塵部材とコンデンサ支持部との間に隙間が生じることがなく、防塵効果を一層向上させることができる。また、作業者が誤って防塵部材を表裏反対に取り付けた場合は、防塵部材とコンデンサ支持部との間に隙間が生じるので、取り付ける向きが間違っていることを容易に把握できる。
【００１７】
前記の防塵部材の取付構造においては、以下のように構成されることが好ましい。即ち、前記固定手段は、前記コンデンサ支持部の左側に少なくとも１つ、右側に少なくとも１つ、それぞれ配置されている。前記固定手段は左右で高さが異なるように配置されている。前記防塵部材は、当該防塵部材を前記固定手段で固定するための取付部を有し、この取付部が、高さが異なるように配置された前記固定手段の配置場所に対応するように配置されている。
【００１８】
これにより、作業者が防塵部材を表裏反対に取り付けようとした場合でも、固定手段と取付部の位置が合わないので、誤った向きのまま防塵部材がコンデンサ支持部に取り付けられてしまうことを未然に防止できる。
【００１９】
本発明の第２の観点によれば、前記防塵部材の取付構造を備える作業機が提供される。
【００２０】
これにより、作業機が備えるコンデンサのメンテナンス作業を効率的に行うことができる。
【図面の簡単な説明】
【００２１】
【図１】本発明の一実施形態に係るトラクタの側面図。
【図２】ボンネット内のエンジン前面側の一部を示した斜視図。
【図３】コンデンサにコンデンサ用防塵ネットを取り付けた状態を示した斜視図。
【図４】コンデンサにコンデンサ用防塵ネットを取り付けた状態を示した正面図。
【図５】ネットフレームに配置される取付板の様子を示した拡大側面図。
【図６】コンデンサ用防塵ネットをコンデンサフレームに取り付ける様子を示した分解斜視図。
【図７】解除状態のカムロックの様子を示した拡大正面図。
【図８】固定状態のカムロックの様子を示した拡大正面図及びＡ−Ａ断面矢視図。
【図９】コンデンサ用防塵ネットをコンデンサフレームに取り付ける作業を示した側面図。
【発明を実施するための形態】
【００２２】
以下、本発明の実施の形態について図面を参照しながら説明する。図１は、本発明の一実施形態に係るトラクタ１０を示した側面図である。図２は、ボンネット２０内のエンジン１９前面側の一部を示した斜視図である。なお、以下の説明では、単に「左側」「右側」等というときは、トラクタ１０が前進する方向に向かって左側及び右側を意味するものとする。
【００２３】
図１に示す農作業用の作業車両（作業機）としてのトラクタ１０は、プラウ、ハロー、ローダ等の各種装置を必要に応じて装着し、様々な種類の作業を行うことが可能に構成されている。このトラクタ１０の前後には前車輪１４及び後車輪１５が配置されている。トラクタ１０の前部にはボンネット２０が配置され、このボンネット２０は内部を露出できるように開閉可能に構成されている。
【００２４】
このボンネット２０内にはエンジン１９が収容されている。このエンジン１９は、トラクタ１０が備える図略のフレームに、直接又は防振部材等を介して支持されている。ボンネット２０の後方には、運転のための空間を構成するキャビン１６が配置されており、このキャビン１６の内部には各種の操作を行うための図略の操作部及び座席部が備えられている。トラクタ１０のオペレータは、前記操作部を介して、トラクタ１０の走行操作等を行うことができる。
【００２５】
エンジン１９は、前後方向に延びるクランク軸を有しており、このクランク軸の回転動力を各部に伝達可能に構成されている。このクランク軸はエンジン１９のシリンダブロックから前方に突出し、その端部には、冷却ファン２８を回転駆動するための図略のプーリ及びベルト等が配置されている。また、クランク軸の後端には図示しないフライホイールが固定されており、このフライホイールの回転がクラッチ及びシャフト等を介して図略のミッションケースに内蔵されたギア等の動力伝達機構に伝達され、適宜変速された後、前車輪１４及び後車輪１５等に伝達される。
【００２６】
図１及び図２に示すように、ボンネット２０内のエンジン１９の前面側には、ラジエータ２２と、サブタンク２６と、コンデンサ２３と、レシーバドライヤ２４と、バッテリ２７と、エアクリーナ２９等の各種の設備が配置されている。これらの装置は、トラクタ１０のフレームに固定された板状の取付プレート２１の上面側に配置されている。図２に示すように、取付プレート２１の前側端部は平面視でやや丸みを帯びた形状となっており、全体的な輪郭が略Ｕ字状となるように構成されている。
【００２７】
ラジエータ２２は、起立した状態で取付プレート２１に固定されたラジエータフレーム３９に支持されている。また、ラジエータ２２は、エンジン１９のウォータジャケット内の冷却水を循環させるための循環経路を有している。ラジエータ２２の循環経路中には、冷却コア、アッパタンク及びロアタンク等が配置されている。前記冷却コアは、チューブ及びフィン等から構成されており、アッパタンクとロアタンクとによって上下方向で挟み込まれる形となっている。アッパタンク及びロアタンクは、冷却コアのチューブによって接続されるとともに、それぞれが配管等を介してエンジン１９のウォータジャケットに接続されている。また、ラジエータ２２の近傍には、ラジエータ２２のオーバーフロー分の冷却水を貯留するためのサブタンク２６が配置されている。エンジン１９側から送られてきた冷却水は、この循環経路を通過することで冷却され、再びエンジン１９側に戻される。
【００２８】
また、ラジエータ２２の前面側には、藁屑、塵埃、虫等のダストから当該ラジエータ２２を防塵するためのラジエータ用防塵ネット７１が配置されている。このラジエータ用防塵ネット７１は、ラジエータ２２を支持するラジエータフレーム３９に対して取り付けられている。
【００２９】
本実施形態のトラクタ１０において、ラジエータ２２の前面側にはコンデンサ２３が配置され、後面側には冷却ファン２８（図１）が配置されている。そして、前記コンデンサ２３の更に前側にバッテリ２７が配置されている。また、コンデンサ２３の上部にはブラケットを介してエアクリーナ２９が配置されている。エアクリーナ２９はホースによってエンジン１９に接続されており、エンジン１９の吸気構造の一部を構成している。
【００３０】
次に、本実施形態のトラクタ１０が備える空調装置について説明する。空調装置は、キャビン１６内を冷房することが可能な装置であり、コンデンサ２３と、レシーバドライヤ２４と、コンプレッサと、膨張弁と、エバポレータと、を主要な構成として備えている。
【００３１】
コンデンサ２３は、高圧の液状冷媒を通過させるチューブと、該チューブの周囲にコルゲート式又はプレート式等で構成されるフィンと、を主要な構成として備えた熱交換器である。前記チューブは、多数平行に配置した複数のフィンの間を左右方向又は上下方向に蛇行するように配置されている。
【００３２】
取付プレート２１の上面には、それぞれ２本の縦部材及び横部材からなる矩形状のコンデンサフレーム４０が、起立した状態で取付プレート２１に固定される。前記コンデンサ２３の上下左右の周囲は、前記コンデンサフレーム４０によって支持（固定）されている。このコンデンサフレーム４０の前面には、ダストからコンデンサ２３を防塵するためのコンデンサ用防塵ネット４１が取り付けられている。なお、このコンデンサ用防塵ネット４１の取付構造の詳細については後述する。
【００３３】
レシーバドライヤ２４は、コンデンサフレーム４０の縦部材の側方（右側）に図略のブラケットを介して取り付けられている。このレシーバドライヤ２４は、コンデンサ２３に接続されるとともに、前記膨張弁に接続されている。また、前記コンプレッサは図略の配管を介してコンデンサ２３に接続されている。このコンプレッサはエンジン１９前部上に配置されて、エンジン１９により駆動される。膨張弁とエバポレータはキャビン１６内部の天井部分に取り付けられている。
【００３４】
この構成で、前記コンプレッサがエンジン１９の駆動力によってＶベルトを介して駆動されることで、冷媒となるガスが圧縮されて、高温高圧の半液状の状態でコンデンサ２３に送られる。圧縮されたガスが送られたコンデンサ２３では冷媒が冷却され、液化が促進されてレシーバドライヤ２４へ送られる。レシーバドライヤ２４は、液化できなかった冷媒を分離するとともに、乾燥剤やストレーナ等によって水分や不純物を取り除く。この結果、液冷媒のみが配管を介して膨張弁へ送られる。膨張弁では冷媒が噴射されることにより減圧され、エバポレータでは、霧状の冷媒（液体）が気化する際に周囲の熱を奪う。この冷やされたエバポレータに室内ファンで送風を行うと、空気が冷却され、キャビン１６内を冷房することができる。エバポレータを出た気化された冷媒は、コンプレッサに戻され、再び圧縮されて液化し、前記冷房サイクルが繰り返される。
【００３５】
次に図３から図７までを参照して、コンデンサ用防塵ネット４１の取付構造の詳細について説明する。図３は、コンデンサ２３にコンデンサ用防塵ネット４１を取り付けた状態を示した斜視図である。図４は、コンデンサ２３にコンデンサ用防塵ネット４１を取り付けた状態を示した正面図である。図５は、ネットフレーム５２に配置される取付板５３の様子を示した拡大側面図である。図６は、コンデンサ用防塵ネット４１をコンデンサフレーム４０に取り付ける様子を示した分解斜視図である。図７は、解除状態のカムロック４２の様子を示した拡大正面図である。図８（ａ）は、コンデンサ用防塵ネット４１がカムロック４２によって固定されている状態を概略的に示した拡大正面図である。また、図８（ｂ）は、図８（ａ）のＡ−Ａ断面矢視図である。
【００３６】
コンデンサ２３は、左右の縦部材と上下の横部材とによって構成されるコンデンサフレーム４０によって支持されている。図３及び図４に示すように、コンデンサフレーム４０の下側の横部材には、左右方向に延びる受け部材としてのレール４３が配置されている。このレール４３は前記横部材の前面に固定されており、側面視において、レール４３は上方が開放されたＵ字状に形成されている。
【００３７】
また、図３及び図４に示すように、コンデンサフレーム４０の左右の縦部材にはカムロック（回転ロック、固定手段）４２が、左右それぞれで上下方向の高さが異なるように配置されている。本実施形態においては、右側のカムロック４２の取付位置が左側のカムロック４２の取付位置よりも下側に位置するように構成されている。それぞれのカムロック４２は、コンデンサフレーム４０から前方へ突出するように取り付けられている。
【００３８】
本実施形態のカムロック４２は、作業者が操作を行うための操作具４４を有している。操作具４４は平板状に形成されており、図７の正面図に示すように、機体前後方向に延びる軸を中心として回転可能に構成される。また、この操作具４４は、カムロック４２本体部分の取付部分から直角に曲がるように回動することも可能になっている。作業者は、この操作具４４をつまんで操作することで、カムロック４２の状態を図７に示す解除状態と図８（ａ）に示す固定状態との間で切り換えることができる。解除状態のカムロック４２は、図７に示すように、操作具４４の平面部分が正面視で上下方向を向いている。一方、固定状態のカムロック４２は、図８（ａ）に示すように、操作具４４の平面部分が正面を向いている。
【００３９】
この構成で、例えばカムロック４２を解除状態から固定状態に操作するときは、以下のような手順で行う。作業者は、コンデンサ用防塵ネット４１をコンデンサフレーム４０に取り付けた状態で、操作具４４の長手方向が垂直を向くように鎖線の位置まで操作具４４を回転させる。次に、この状態から操作具４４を左右方向の一側に倒して、当該操作具４４の平面部分が正面を向いた状態（図８（ａ）及び図８（ｂ）に示す状態）にする。これによって、カムロック４２は固定状態となる。本実施形態のカムロック４２はバネ４５を備えており、操作具４４が固定状態側へ操作された場合には、前記バネ４５が、当該操作具４４をコンデンサフレーム４０へ近づく向き（図８（ｂ）に示す矢印の向き）に付勢するように構成されている。
【００４０】
一方、コンデンサフレーム４０に取り付けられるコンデンサ用防塵ネット４１は、ネット（防塵網）５１と、前記ネット５１を保持するためのネットフレーム（防塵部材フレーム）５２と、取付板（取付部）５３と、を有している。ネット５１は、コンデンサ２３の前面を全体的に覆うことが可能な大きさに形成されている。ネットフレーム５２はネット５１の端部を覆うように矩形状に構成されており、上下方向に延びる縦部材と、左右方向に延びる横部材と、を備えている。このネットフレーム５２の左右の縦部材には、取付板５３がそれぞれ配置されている。
【００４１】
図４の正面視に示すように、左右の取付板５３は略矩形状の板状部材で形成されており、ネットフレーム５２から左右外側に一部がせり出した状態で取り付けられている。取付板５３は、コンデンサフレーム４０の左右それぞれに配置されるカムロック４２の取付位置に対応するように配置されている。従って、左右それぞれの取付板５３は上下方向の高さが異なるように、具体的には、右側の取付板５３の取付位置が左側の取付板５３の取付位置よりも下側になるように配置される。
【００４２】
この取付板５３は、図５に示すように、ネットフレーム５２の前面側に取り付けられている。ここで、ネットフレーム５２は、その後面側がコンデンサフレーム４０に対面するように当該コンデンサフレーム４０に装着される。従って、前記取付板５３は、ネットフレーム５２のコンデンサフレーム４０に対する取付面と反対側の面に配置されることになる。
【００４３】
また、図４等に示すように、取付板５３の略中央部分には左右方向に延びる長孔状の挿通孔５４が形成されている。この挿通孔５４は、水平に向けた状態（前記解除状態）のカムロック４２の操作具４４が通過できるように構成されている。
【００４４】
この構成で、コンデンサ用防塵ネット４１は、コンデンサ２３を支持するコンデンサフレーム４０の前面側に取り付けられる。次に図９を参照して、コンデンサ用防塵ネット４１の取付作業について順に説明する。
【００４５】
図９（ａ）に示すように、作業者は、コンデンサ用防塵ネット４１を垂直から若干斜めに傾けた姿勢でコンデンサフレーム４０の前側に上側から差し込み、その下縁部（ネットフレーム５２の下側の横部材）を、前記レール４３の溝部分に上方から差し入れる。なお、カムロック４２の操作具４４は予め水平状態（解除状態）としておく。次に、図９（ｂ）に示すように、コンデンサ用防塵ネット４１の下部をレール４３に支持させた状態で、コンデンサ用防塵ネット４１の上部を後面側（コンデンサフレーム４０側）に移動させる。これにより、左右の取付板５３の挿通孔５４を、カムロック４２の操作具４４が通過することになる。
【００４６】
ネットフレーム５２をコンデンサフレーム４０に接触又は近接させた後、作業者は図９（ｃ）に示すように、左右のカムロック４２の操作具４４をつまんで水平向きから垂直向きとなるように回す。この結果、操作具４４が挿通孔５４に対して垂直に交差する状態となる。次に、この状態から図９（ｄ）に示すように、操作具４４の平面部分が取付板５３に対面するように当該操作具４４を倒した状態（図８（ａ）に示す状態）にする。この結果、操作具４４の平面部分が取付板５３全体を押しつける形となって、挿通孔５４から抜けなくなる。以上のように、カムロック４２の操作具４４を回して倒すだけの簡単な操作により、コンデンサ用防塵ネット４１をコンデンサフレーム４０に対して機械的に固定（ロック）することができる。
【００４７】
また、カムロック４２の操作具４４は、解除状態から固定状態への切換操作に伴ってコンデンサフレーム４０側に移動し、取付板５３が操作具４４によってコンデンサフレーム４０側（後面側）に押し付けられる。これによって、コンデンサフレーム４０とネットフレーム５２とが密着して、隙間なくコンデンサ用防塵ネット４１をコンデンサフレーム４０に取り付けることができる。
【００４８】
また、上述した取付作業と逆の手順を踏むことにより、コンデンサ用防塵ネット４１の取外しを容易に行うことができる。具体的には、図８（ａ）及び図９（ｄ）の固定状態の操作具４４を引き起こして図９（ｃ）に示す状態にする。次に、カムロック４２の操作具４４を垂直向きから水平向きとなるように回して、操作具４４の長手方向が挿通孔５４の長手方向を向いた図７の状態にする。これにより、当該操作具４４が取付板５３の挿通孔５４を通過可能な状態となり、コンデンサ用防塵ネット４１を押し付ける力が解除される。以上のように、取外し作業においても、ワンタッチでコンデンサ用防塵ネット４１の固定状態を解除することができる。次に、コンデンサ用防塵ネット４１を前方に若干倒すように傾動させ、カムロック４２の操作具４４が取付板５３の挿通孔５４から抜けるようにする。その後、コンデンサ用防塵ネット４１の下縁部をレール４３から上方へ引き抜くことで、当該コンデンサ用防塵ネット４１をコンデンサフレーム４０から取り外すことができる。
【００４９】
以上に示したように、本実施形態のコンデンサ用防塵ネット４１の取付構造は、以下のように構成される。即ち、コンデンサ用防塵ネット４１の取付構造は、コンデンサフレーム４０の下部に配置され、上方が開放された形状のレール４３を備える。また、コンデンサ用防塵ネット４１の取付構造は、レール４３の上方に配置され、コンデンサ用防塵ネット４１をコンデンサフレーム４０に対してワンタッチで機械的に固定させることができるカムロック４２を備える。
【００５０】
これにより、コンデンサ用防塵ネット４１の取付けをワンタッチで行うことができ、取付作業の効率を向上させることができる。また、カムロック４２の固定を解除して、レール４３を支点にして傾動させてコンデンサ用防塵ネット４１を上方に引き抜くことで、コンデンサ用防塵ネット４１をコンデンサフレーム４０から取り外すことができる。従って、コンデンサ２３の周囲に大きなスペースを確保できない場合でも、メンテナンス作業を効率的に行うことができる。更に、コンデンサ用防塵ネット４１をレール４３で支持させて、このレール４３より上方に配置されるカムロック４２によって固定するという簡素な構成なので、作業性の向上及び製造コストの低減を達成できる。
【００５１】
また、本実施形態のコンデンサ用防塵ネット４１の取付構造においては、カムロック４２は、コンデンサ用防塵ネット４１の取付時には、コンデンサ用防塵ネット４１を取付板５３を介してコンデンサフレーム４０側に押し付けるように構成されている。
【００５２】
これにより、コンデンサ用防塵ネット４１がコンデンサフレーム４０に取り付けられている状態において、両者の間に形成される隙間を小さくすることができる。従って、コンデンサ用防塵ネット４１とコンデンサフレーム４０との隙間にゴミ等がたまったり、コンデンサ用防塵ネット４１のバタツキによって騒音が発生したりすることを防止できる。
【００５３】
また、本実施形態のコンデンサ用防塵ネット４１の取付構造においては、以下のように構成される。即ち、コンデンサ用防塵ネット４１は、ネット５１の端部を覆うネットフレーム５２と、コンデンサ用防塵ネット４１をカムロック４２で固定するための取付板５３と、を有する。取付板５３は、ネットフレーム５２のコンデンサフレーム４０に対面する側と反対側（前面側）に配置される。
【００５４】
これにより、ネットフレーム５２がコンデンサフレーム４０に直接対面するように取り付けられるので、コンデンサ用防塵ネット４１とコンデンサフレーム４０との間に隙間が生じることがなく、防塵効果を一層向上させることができる。また、作業者が誤ってコンデンサ用防塵ネット４１を表裏反対に取り付けた場合は、コンデンサ用防塵ネット４１とコンデンサフレーム４０との間に隙間が生じるので、取り付ける向きが間違っていることを容易に把握できる。
【００５５】
また、本実施形態のコンデンサ用防塵ネット４１の取付構造においては、以下のように構成される。即ち、カムロック４２は、コンデンサフレーム４０の左右にそれぞれ１つずつ配置されている。２個のカムロック４２は左右で高さが異なるように配置されている。コンデンサ用防塵ネット４１は、当該コンデンサ用防塵ネット４１をカムロック４２で固定するための取付板５３を有し、この取付板５３が、高さが異なるように配置された前記カムロック４２の配置場所に対応するように配置されている。
【００５６】
これにより、作業者がコンデンサ用防塵ネット４１を表裏反対に取り付けようとした場合でも、カムロック４２と取付板５３の位置が合わないので、誤った向きのままコンデンサ用防塵ネット４１がコンデンサフレーム４０に取り付けられることを未然に防止できる。
【００５７】
また、本実施形態のトラクタ１０は、前記コンデンサ用防塵ネット４１の取付構造を備えている。
【００５８】
これにより、トラクタ１０が備えるコンデンサ２３のメンテナンス作業を効率的に行うことができる。
【００５９】
以上に本発明の好適な実施形態を説明したが、上記の構成は更に以下のように変更することができる。
【００６０】
上記実施形態では、コンデンサ用防塵ネット４１を支持する防塵部材支持部として、単一のレール４３が用いられているが、防塵部材支持部の構成は事情に応じて適宜変更できる。例えば、複数の支持部材によってコンデンサ用防塵ネット４１を支持する構成に変更することができる。更に、防塵部材支持部の形状はＵ字状とすることに限らず、Ｃ字状、Ｊ字状、フック状等、様々な形状に変更することができる。
【００６１】
また、上記実施形態では、コンデンサ用防塵ネット４１を固定する固定手段としてカムロック４２を採用しているが、カムロック以外の固定手段に変更することができる。
【００６２】
また、上記実施形態に加えて、ネットフレーム５２又はコンデンサフレーム４０の少なくとも何れか一方に、変形可能なシール部材を配置する構成とすることができる。この構成により、取付状態において、コンデンサフレーム４０とネットフレーム５２との間で前記シール部材が変形して隙間を埋めることができるので、コンデンサフレーム４０とネットフレーム５２との密着性を一層高めることができる。
【符号の説明】
【００６３】
１０  トラクタ（作業機）
２３  コンデンサ
４０  コンデンサフレーム（コンデンサ支持部）
４１  コンデンサ用防塵ネット（防塵部材）
４３  レール（防塵部材支持部）
４２  カムロック（固定手段）
５２  ネットフレーム（防塵部材フレーム）
５３  取付板（取付部）
【図１】
2010173572.tif 000003
【図２】
2010173572.tif 000004
【図３】
2010173572.tif 000005
【図４】
2010173572.tif 000006
【図５】
2010173572.tif 000007
【図６】
2010173572.tif 000008
【図７】
2010173572.tif 000009
【図８】
2010173572.tif 000010
【図９】
2010173572.tif 000011